(57)【要約】【課題】アンテナが外部からの電波を良好に受信でき、また、風防ガラスを介して、下方に存在するアンテナが透けて見えることがなく、外観品質、美観上にも優れ、デザインバリエーションの拡大化が図れる無線機能付き時計を提供する。【解決手段】時計ケース胴体の視認側に装着され、多面カットされた風防ガラスと、外部からの電波を受信するためのアンテナとを備え、前記多面カットされた風防ガラスには、多面カットされた多面カット領域と、多面カットされていない視認領域とが形成されており、前記アンテナを、前記多面カット領域の下方で、且つ、前記時計ケース胴体の上面側に配設した。【選択図】図５
2010223784.tif 000002
【特許請求の範囲】
【請求項１】
時計ケース胴体の視認側に装着され、多面カットされた風防ガラスと、
外部からの電波を受信するためのアンテナとを備え、
前記多面カットされた風防ガラスには、多面カットされた多面カット領域と、多面カットされていない視認領域とが形成されており、
前記アンテナは、前記多面カット領域の下方で、且つ、前記時計ケース胴体の上面側に配設されていることを特徴とする無線機能付き時計。
【請求項２】
前記多面カットされた風防ガラスが、視認側に膨出するように形成されていることを特徴とする請求項１に記載の無線機能付き時計。
【請求項３】
前記視認領域の下方で、且つ、前記アンテナの背面側に金属性の表示板が配置されていることを特徴とする請求項１又は２のいずれかに記載の無線機能付き時計。
【請求項４】
前記時計ケース胴体の内部にソーラーセルが配設され、
前記風防ガラスの多面カット面を介して、外部の光をソーラーセルに集光するように構成されていることを特徴とする請求項１から３のいずれかに記載の無線機能付き時計。
【請求項５】
前記アンテナが、前記アンテナの上面と前記時計ケース胴体の上面とが略水平となるように配設されていることを特徴とする請求項１から４のいずれかに記載の無線機能付き時計。
【請求項６】
前記アンテナが樹脂で覆われていることを特徴とする請求項５に記載の無線機能付き時計。
【請求項７】
前記アンテナの上面側に内面被膜が形成されていることを特徴とする請求項１から６のいずれかに記載の無線機能付き時計。
【請求項８】
前記多面カット領域が、風防ガラスの外周側に形成され、
前記視認領域が、風防ガラスの内周側に形成されていることを特徴とする請求項１から７のいずれかに記載の無線機能付き時計。
【請求項９】
前記多面カット領域が、風防ガラスの外周に沿って、環状に形成されていることを特徴とする請求項１から８のいずれかに記載の無線機能付き時計。
【請求項１０】
前記多面カット領域が、複数の多面カット領域から構成されていることを特徴とする請求項１から９のいずれかに記載の無線機能付き時計。
【請求項１１】
前記視認領域が、複数の視認領域から構成されていることを特徴とする請求項１から１０のいずれかに記載の無線機能付き時計。
【請求項１２】
前記時計ケース胴体が、平面視で略円形の形状であることを特徴とする請求項１から１１のいずれかに記載の無線機能付き時計。
【請求項１３】
前記時計ケース胴体が、平面視で多角形の形状であることを特徴とする請求項１から１１のいずれかに記載の無線機能付き時計。
【発明の詳細な説明】
【技術分野】
【０００１】
本発明は、外部から電波を受信するためのアンテナを備えた無線機能付き時計に関する。
【背景技術】
【０００２】
近年、外部からの時刻情報を含む標準電波を小型アンテナで受信し、時刻表示の修正を行う無線機能付き時計が提供され、好評を博している。
この無線機能付き時計では、アンテナの周辺、特に電波の入射方向に当たるアンテナの上方に、金属などの導電性の部材があると、電波の入射が遮断されて、アンテナの電波受信感度が著しく低下してしまうとの配置上の制約がある。したがって、従来から、アンテナの受信感度を低下させずにアンテナを配置する方法が、種々提案されている。
【０００３】
特許文献１（実用新案第２６０１２２５号公報）では、図１９、図２０に示すような無線機能付き時計１００が提案されている。ここで、  図１９は平面図、図２０は図１９のＡ−Ａ線での断面図である。
【０００４】
なお、本明細書において、「上面」、「上方向」、「上方」、「表側」とは、時計の視認側を言い、「下面」、「下方向」、「下方」、「裏側」とは、時計の視認側と反対側を言う。
【０００５】
この無線機能付き時計１００では、図１９、図２０に示したように、時計ケース胴体１１２の視認側に装着された風防ガラス１４６と、時計ケース胴体１１２の内周側に配設された表示板１３２との間にアンテナ１１８が配置されており、アンテナ１１８の上方には金属性の部材が配置されないように構成されている。
【０００６】
なお、図１９、図２０中、符号１２２は裏蓋、１１４はバンドを示している。
一方、特許文献２（特開２００２−２８６８７９号公報）では、図２１、図２２に示したような無線機能付き時計２００が提案されている。
【０００７】
この無線機能付き時計２００では、図２１、図２２に示したように、時計ケース胴体２１２の視認側に風防ガラス２４６が装着され、風防ガラス２４６の下方、時計ケース胴体２１２の上面の内周側には、表示板２３２が配設されている。
【０００８】
そして、時計ケース胴体２１２及び表示板２３２は、合成樹脂製となっており、時計ケース胴体２１２の内部には、アンテナ２１８を収納するアンテナ収納部２１８ａが形成されている。
【０００９】
すなわち、アンテナ２１８は合成樹脂製の表示板２３２の下方に配設されて、アンテナ２１８の上方には金属性の部材が配置されないように構成されている。
なお、図２１、図２２中、符号２２２は裏蓋、２１６はバンドの連結部、２１３はベゼルを示している。
【先行技術文献】
【特許文献】
【００１０】
【特許文献１】実用新案登録第２６０１２２５号公報
【特許文献２】特開２００２−２８６８７９号公報
【発明の概要】
【発明が解決しようとする課題】
【００１１】
ところで、特許文献１の無線機能付き時計１００では、アンテナ１１８の視認側には透明な風防ガラス１４６しかなく、風防ガラス１４６を介してアンテナ１１８が外部から透けて見えるため、外観品質、美観上も劣り、高級感に欠けるところがあった。
【００１２】
一方、特許文献２の無線機能付き時計２００では、アンテナ２１８が、合成樹脂製の表示板２３２の下方に配設されているため、アンテナ２１８が、外部から透けて見えないものの、時計ケース胴体２１２の内部にアンテナ２１８を配置するため、時計ケース胴体２１２をアンテナ２１８が配設される分だけ大きくする必要があり、時計の小型化が困難であった。
【００１３】
また、時計の表示板の材料としては、観者に美観と高級感を与えるという理由から金属製であることが望まれているが、特許文献２の無線機能付き時計２００では、表示板２３２の材料が、合成樹脂などの非導電性の材料に限定されてしまうため、金属製の表示板を用いることが出来なかった。
【００１４】
さらに、特許文献１、２の無線機能付き時計は、風防ガラスが平板な形状の板ガラスから構成されているので、装飾性、デザインバリエーション、高級感に欠けるところがあった。
【００１５】
本発明は、このような現状に鑑み、アンテナが外部からの電波を良好に受信でき、また、風防ガラスを介して、下方に存在するアンテナが透けて見えることがなく、外観品質、美観上にも優れ、デザインバリエーションの拡大化が図れる無線機能付き時計を提供することを目的とする。
【課題を解決するための手段】
【００１６】
本発明は、上述したような従来技術における課題及び目的を達成するために発明されたものであって、本発明の無線機能付き時計は、
時計ケース胴体の視認側に装着され、多面カットされた風防ガラスと、
外部からの電波を受信するためのアンテナとを備え、
前記多面カットされた風防ガラスには、多面カットされた多面カット領域と、多面カットされていない視認領域とが形成されており、
前記アンテナは、前記多面カット領域の下方で、且つ、前記時計ケース胴体の上面側に配設されていることを特徴とする。
【００１７】
このように構成することによって、アンテナが外部からの電波を良好に受信できるだけでなく、時計ケース胴体の視認側に装着され、多面カットされた風防ガラスによって、装飾性が高く、美観上も優れ、デザインバリエーションの拡大化が図れ、斬新なデザインの無線機能付き時計を提供することができる。
【００１８】
また、多面カットされた風防ガラスによって、この多面カット面で光が散乱されるので、風防ガラスを介して、多面カット領域の下方に存在するアンテナが透けて見えることがなく、外観品質、美観上にも優れる。
【００１９】
また、風防ガラスと時計ケース胴体との間にアンテナが配設されるため、時計ケース胴体の内部にアンテナを配設する必要がなく、無線機能付き時計の小型化を図ることができる。
【００２０】
また、多面カットされた多面カット領域によって、装飾性が高く、美観上も優れ、デザインバリエーションの拡大化が図れ、斬新なデザインの無線機能付き時計を提供することができる。
【００２１】
また、多面カットされていない視認領域を介して、下方に存在する表示板上の、時刻、日付、曜日などの情報を外部より視認することができる。
さらに、これらの多面カットされた多面カット領域と、多面カットされていない視認領域によって、装飾的にもデザインとして構成することができ、高級感に溢れ、斬新なデザインの無線機能付き時計を提供することができる。
【００２２】
この場合、本明細書で、「ガラス」とは、例えば、強化ガラス、白板ガラス、青板ガラスなどの無機ガラス、高純度のアルミナを巨大結晶させたサファイアガラスなどの強化ガラス、プラスチックなどの強化ガラスなどのガラスを全て含み意味であり、特に限定されるものではない。
【００２３】
また、これらのガラスは、透明、半透明であっても良く、また、色つきのもの、異なる色を組み合わせたものであっても良い。さらに、これらのガラスは、その表面に、例えば、旭光模様、ヘアーラインなどの目付け模様、刻印、マークなど、その他のいかなる装飾処理を施したものであっても良い。
【００２４】
なお、この場合、多面カットとは、複数の面が様々な角度で交わった面を有するような処理を言い、特に限定されるものではない。
また、風防ガラスを時計ケース胴体に装着する方法としては、特に限定されるものではなく、嵌合、圧入、かしめなどの機械的な接合、粘着剤または接着剤による接合、ゴム、樹脂などのパッキンを幅方向に圧縮しての固定方法などを用いることができる。
【００２５】
また、時計ケース胴体の材料としては、特に限定されるものではなく、例えば、金、銀、銅、プラチナ、白金、黄銅、アルミニウム、マグネシウム、亜鉛、チタン、またはこれらの合金、セラミック、超硬材などを採用することができる。
【００２６】
また、本発明の無線機能付き時計は、前記多面カットされた風防ガラスが視認側に膨出するように形成されていることを特徴とする。
このように構成することによって、多面カット領域の多面カット面での光の散乱効果がより大きくなるとともに、風防ガラス自体の装飾性もより高めることができる。
【００２７】
また、後述するようにソーラーセルを配設する場合には、多面カット領域の多面カット面で光が屈曲されて、ソーラーセルに集光させる集光効果が大きくなり、より多くの光をソーラーセルのソーラー受光面へ集光することができる。
【００２８】
また、本発明の無線機能付き時計は、前記視認領域の下方で、且つ、前記アンテナの背面側に金属性の表示板が配置されていることを特徴とする。
このように構成することによって、風防ガラスを介して、アンテナが透けて見えることがなく、且つ、アンテナの下側に金属性の表示板を配置することが可能となり、金属製の表示板を用いることによる高級感を備えた無線機能付き時計を提供することができる。
【００２９】
また、本発明の無線機能付き時計は、前記時計ケース胴体の内部にソーラーセルが配設され、
前記風防ガラスの多面カット面を介して、外部の光をソーラーセルに集光するように構成されていることを特徴とする。
【００３０】
このように構成することによって、風防ガラスの多面カット面を介して、外部の光を屈折させて、時計ケース胴体の内部に配置されたソーラーセルに集光させることができるので、多くの光をソーラーセルのソーラー受光面へ集光でき、集光効率を高めることができる。
【００３１】
また、このように集光効率が高いので、発電効率を上げるために、風防ガラスと表示板との間の距離を大きくする必要がなく、時計の厚さを薄くすることができ、しかも、多面カットされた風防ガラスを介して、表示板を視認した場合にも奥行きがあるように観者に見えることがなく、時計の厚さが薄く認識され、装飾性、高級感に溢れた無線機能付き時計を提供することができる。
【００３２】
さらに、ソーラーセルを時計ケース胴体の上面に配設する場合には、ソーラーセルを多面カット領域の下方に配設することで、ソーラーセルが透けて見えることがなく、外観品質、美観上も優れる。
【００３３】
また、本発明の無線機能付き時計は、前記アンテナが、前記アンテナの上面と前記時計ケース胴体の上面とが略水平となるように配設されていることを特徴とする。
このように構成することによって、アンテナが時計ケース胴体の上面に突出した状態で配設されている場合と比べて、時計内部のデザインをシンプルに構成することが出来るため、観者にすっきりとした印象を与えることができる。
【００３４】
また、時計ケース胴体に予め凹部を設け、そこにアンテナを配設すればよいので、時計ケース胴体にアンテナを配設する際の位置出し及び配設作業が容易である。
さらに、アンテナの上面又は一方の側面だけが露出することとなるため、アンテナが時計ケース胴体の上面に突出した状態で配設されている場合と比べて、風防ガラスを介して、アンテナがより透けて見え難くなる。
【００３５】
上記発明において、前記アンテナが樹脂に覆われていることが望ましい。
このように構成することによって、アンテナの周辺が、金属性の部材ではなく、合成樹脂などの樹脂で覆われることとなるため、時計ケース胴体を金属で形成した場合であっても、金属製の部材の影響により、アンテナの電波受信感度が低下するのを防ぐことができる。
【００３６】
また、本発明の無線機能付き時計は、前記アンテナの上面側に内面被膜が形成されていることを特徴とする。
このように構成することによって、内面被膜を介して光が反射、散乱するなどして遮蔽されるので、風防ガラスを介して、多面カット領域の下方に存在するアンテナがより透けて見え難くなり、外観品質、美観上も優れる。
【００３７】
また、この内面被膜に着色、模様を施すことによって、装飾的にもデザインとして構成することができ、高級感に溢れ、斬新なデザインの無線機能付き時計を提供することができる。
【００３８】
なお、この場合、内面被膜としては、有色被膜や反射被膜とすることができる。
この内面被膜は、アンテナの上面側で、アンテナを覆うように形成されていればよく、形成される場所については、特に限定されない。すなわち、アンテナの上面側で、アンテナを覆うように形成されていれば、風防ガラスの下面に内面被膜が形成されてもよく、また、アンテナの上面と時計ケース胴体の上面とが略水平となるように配設されている場合には、時計ケース胴体の上面に内面被膜が形成されてもよい。
【００３９】
また、内面被膜は、印刷、スピンコート、ディッピング、刷毛塗り、噴霧塗装、静電塗装、電着塗装等の塗装などにより形成した、例えば、メラミン樹脂、アクリル樹脂、エポキシ樹脂などの合成樹脂を被覆することによって形成することができる。
【００４０】
さらに、内面被膜は、印刷、スピンコート、ディッピング、刷毛塗り、噴霧塗装、静電塗装、電着塗装等の塗装などにより形成した、例えば、有機顔料若しくは無機顔料を含む、インクまたは塗料を、被覆することによって形成することができる。また、内面被膜は、印刷、スピンコート、ディッピング、刷毛塗り、噴霧塗装、静電塗装、電着塗装等の塗装などにより形成した、例えば、有機染料若しくは無機染料を含む、インクまたは塗料を、被覆することによって形成することができる。
【００４１】
また、上記した各種の内面被膜を組み合わせることもでき、模様を形成するようにすることも可能である。
また、本発明の無線機能付き時計は、前記多面カット領域が、風防ガラスの外周側に形成され、前記視認領域が、風防ガラスの内周側に形成されていることを特徴とする。
【００４２】
このように構成することによって、風防ガラスの外周側に形成された多面カット領域によって、装飾性が高く、美観上も優れ、デザインバリエーションの拡大化が図れ、斬新なデザインの無線機能付き時計を提供することができる。
【００４３】
また、風防ガラスの外周側に形成された多面カット領域によって、この多面カット面で光が散乱されるので、風防ガラスを介して、多面カット領域の下方に存在するアンテナが透けて見えることがなく、外観品質、美観上も優れる。
【００４４】
さらに、風防ガラスの外周側に形成された多面カット領域を介して、外部の光を屈折させて、時計ケース胴体の側部の近傍に配置されたソーラーセルに集光させることができるので、多くの光をソーラーセルのソーラー受光面へ集光でき、集光効率が高く、ソーラー発電機能に優れた無線機能付き時計を提供することができる。
【００４５】
また、風防ガラスの内周側に形成された多面カットされていない視認領域を介して、下方に存在する表示板上の、時刻、日付、曜日などの情報を外部より視認することができる。
【００４６】
また、本発明の無線機能付き時計は、前記多面カット領域が、風防ガラスの外周に沿って、環状に形成されていることを特徴とする。
このように風防ガラスの外周に沿って、環状に形成された多面カット領域によって、装飾性が高く、美観上も優れ、デザインバリエーションの拡大化が図れ、斬新なデザインの無線機能付き時計を提供することができる。
【００４７】
また、本発明の無線機能付き時計は、前記多面カット領域が、複数の多面カット領域から構成されていることを特徴とする。
このように、多面カット領域が、複数の多面カット領域から構成することによって、これらの多面カット領域によって、装飾性が高く、美観上も優れ、デザインバリエーションの拡大化が図れ、斬新なデザインの無線機能付き時計を提供することができる。
【００４８】
また、本発明の無線機能付き時計は、前記時計ケース胴体が、平面視で略円形の形状であることを特徴とする。
このように構成することによって、略円形形状の風防ガラスを配置することができ、デザインバリエーションの拡大が図れ、高級感のある斬新なデザインの無線機能付き時計を提供することができる。
【００４９】
また、本発明の無線機能付き時計は、前記時計ケース胴体が、平面視で多角形の形状であることを特徴とする。
このように構成することによって、例えば、平面視で、三角形、四角形、六角形、十二角形などの風防ガラスを配置することができ、これにより、デザインバリエーションの拡大が図れ、高級感のある斬新なデザインの無線機能付き時計を提供することができる。特に、風防ガラスを十二角形に配置すれば、十二時間表示の時字に対応して、時刻の把握が容易になるとともに、デザインバリエーションの拡大が図れ、高級感のある斬新なデザインの無線機能付き時計を提供することができる。
【発明の効果】
【００５０】
本発明によれば、時計ケース胴体の視認側に装着され、多面カットされた風防ガラスによって、装飾性が高く、美観上も優れ、デザインバリエーションの拡大化が図れ、斬新なデザインの無線機能付き時計を提供することができる。
【００５１】
また、多面カットされた風防ガラスによって、この多面カット面で光が散乱されるので、風防ガラスを介して、多面カット領域の下方に存在するアンテナが透けて見えることがなく、外観品質、美観上も優れる。
【００５２】
また、風防ガラスと時計ケース胴体との間にアンテナが配設されるため、時計ケース胴体の内部にアンテナを配設する必要がなく、時計の小型化を図ることができる。
【図面の簡単な説明】
【００５３】
【図１】図１は、本発明の無線機能付き時計を腕時計に適用した実施例の腕時計の斜視図である。
【図２】図２は、図１の無線機能付き腕時計の上面図である。
【図３】図３は、図２のＡ−Ａ線での断面図である。
【図４】図４は、図１の無線機能付き腕時計の分解斜視図である。
【図５】図５は、図１の無線機能付き腕時計の作用を示す断面概略図である。
【図６】図６は、ソーラーセルを備えた本発明の無線機能付き腕時計の作用を示す断面概略図である。
【図７】図７は、ソーラーセルを備えた本発明の無線機能付き腕時計の作用を示す断面概略図である。
【図８】図８は、本発明の別の実施例の無線機能付き腕時計を示した、図３と同様の断面図である。
【図９】図９は、本発明の別の実施例の無線機能付き腕時計を示した、図３と同様の断面図である。
【図１０】図１０は、本発明の別の実施例の無線機能付き腕時計を示した、図３と同様の断面図である。
【図１１】図１１は、本発明の別の実施例の無線機能付き腕時計を示した、図３と同様の断面図である。
【図１２】図１２は、本発明の別の実施例の無線機能付き時計の作用を示した、図５と同様の断面概略図である。
【図１３】図１３は、本発明の別の実施例の無線機能付き腕時計を示した、図２と同様の上面図である。
【図１４】図１４は、本発明の別の実施例の無線機能付き腕時計を示した、図２と同様の上面図である。
【図１５】図１５は、本発明の別の実施例の無線機能付き腕時計を示した、図２と同様の上面図である。
【図１６】図１６は、本発明の別の実施例の無線機能付き腕時計を示した、図２と同様の上面図である。
【図１７】図１７は、本発明の別の実施例の無線機能付き腕時計を示した、図２と同様の上面図である。
【図１８】図１８は、本発明の別の実施例の無線機能付き腕時計を示した、図２と同様の上面図である。
【図１９】図１９は、従来の無線機能付き時計の平面図である。
【図２０】図２０は、図１９のＡ−Ａ線での断面図である。
【図２１】図２１は、従来の無線機能付き時計の平面図である。
【図２２】図２２は、図２１のＡ−Ａ線での断面図である。
【発明を実施するための形態】
【００５４】
以下、本発明の実施の形態（実施例）を図面に基づいてより詳細に説明する。
【実施例１】
【００５５】
図１は、本発明の無線機能付き時計を腕時計に適用した実施例の斜視図、図２は、図１の無線機能付き腕時計の上面図、図３は、図２のＡ−Ａ線での断面図、図４は、図１の無線機能付き腕時計の分解斜視図、図５は、本発明の無線機能付き腕時計の作用を示す断面概略図、図６、図７は、ソーラーセルを備えた本発明の無線機能付き腕時計の作用を示す断面概略図である。
【００５６】
図１〜図７において、符号１０は、全体で本発明の無線機能付き腕時計を示している。
本発明の無線機能付き腕時計１０は、図１、図２、図４に示したように、平面視で略円形形状の時計ケース胴体１２を備えている。
【００５７】
この時計ケース胴体１２の外側の側部には、図１、図２、図４に示したように、バンド１４を連結するための連結部１６が形成されており、この連結部１６に、バンド１４が、不図示の連結棒部材によって、脱着自在に固定されている。
【００５８】
また、時計ケース胴体１２の上面には、図３、図４に示したように、アンテナ１８が、時計ケース胴体１２の上面側に配設されている。本実施例では、アンテナ１８は、時計ケース胴体１２の表面上に配置されている。
【００５９】
また、時計ケース胴体１２の下端には、パッキン２０を介装した状態で、裏蓋２２が装着されている。この裏蓋２２の立ち上がり部２４と、時計ケース胴体１２の上端のフランジ２６との間に、支持枠２８を介して、時計を駆動するムーブメント３０が固定されている。
【００６０】
このムーブメント３０の上面には、金属性の表示板３２が固定されているととともに、その中心穴を介して、ムーブメント３０で駆動する回転軸３１が突出しており、この回転軸３１に、時針３３と分針３４が回転可能に固定されている。
【００６１】
また、金属製の表示板３２の外周部分に形成された段部３２ａと、時計ケース胴体１２の上端のフランジ２６との間に、リング形状の見返し部材３６が固定されている。
この場合、表示板３２の材料は、観者に美観と高級感を与えるために、金属製であることが望ましいが、本発明の表示板の材料は、金属製に限定されるものではなく、例えば、合成樹脂などの樹脂製とすることも可能である。
【００６２】
一方、この見返し部材３６の外周側には、ムーブメント３０の外周に上側に突設した突設部３８の内周に、環状（すなわち、リング形状）のソーラーセル４０が、ソーラーセル４０の内周面に形成したソーラー受光面４２が立設状態となるような状態で装着されている。すなわち、ソーラーセル４０が、時計ケース胴体１２の内部、詳しくは、時計ケース胴体１２の内周面側に配置されている。
【００６３】
なお、ソーラーセル４０は、時計ケース胴体１２の内部に配設されていればよく、例えば、時計ケース胴体１２の上面に配設されてもよい。この場合、本明細書において、時計ケース胴体の内部とは、時計ケース胴体の上面も含むものとする。
【００６４】
さらに、図１〜図４に示したように、時計ケース胴体１２の上面には、時計ケース胴体１２の視認側に風防ガラス４６が装着されている。この風防ガラス４６は、多面カットが施されており、本実施例では、いわゆる７２面カット処理が施されている。
【００６５】
また、図１〜図４に示したように、多面カットされた風防ガラス４６が、多面カットされた多面カット領域４８と、多面カットされていない平坦な視認領域５０とを備えている。
【００６６】
すなわち、本実施例では、多面カット領域４８が、風防ガラス４６の外周側に形成され、視認領域５０が、風防ガラス４６の内周側に形成されており、アンテナ１８は、この多面カット領域４８の下方に配設されている。
【００６７】
このように多面カットされた風防ガラス４６に、多面カットされた多面カット領域４８と、多面カットされていない視認領域５０とが形成され、アンテナ１８が、この多面カット領域４８の下方で、且つ、時計ケース胴体１２の上面側に配設されていれば、アンテナ１８が外部からの電波を良好に受信できるだけでなく、時計ケース胴体１２の視認側に装着され、多面カットされた風防ガラス４６によって、装飾性が高く、美観上も優れ、デザインバリエーションの拡大化が図れ、斬新なデザインの無線機能付き時計１０を提供することができる。
【００６８】
また、後述するように、多面カット領域４８の多面カット面４８ａで光が散乱されて、風防ガラス４６を介して、多面カット領域４８の下方に存在するアンテナ１８が透けて見えることがなく、外観品質、美観上も優れた無線機能付き腕時計１０を提供することができる。
【００６９】
また、風防ガラス４６と時計ケース胴体１２との間にアンテナ１８が配設されるため、時計ケース胴体１２の内部にアンテナ１８を配設する必要がなく、無線機能付き腕時計１０の小型化を図ることができる。
【００７０】
また、多面カットされた多面カット領域４８によって、装飾性が高く、美観上も優れ、デザインバリエーションの拡大化が図れ、斬新なデザインの無線機能付き腕時計１０を提供することができる。
【００７１】
また、これらの多面カットされた多面カット領域４８と、多面カットされていない視認領域５０によって、装飾的にもデザインとして構成することができ、高級感に溢れ、斬新なデザインの無線機能付き腕時計１０を提供することができる。
【００７２】
また、風防ガラス４６を介して、アンテナ１８が透けて見えることがなく、且つ、アンテナ１８の下側に金属性の表示板３２を配置することが可能となり、金属製の表示板３２を用いることによる高級感を備えた無線機能付き腕時計１０を提供することができる。
【００７３】
さらに、多面カットされていない視認領域５０を介して、下方に存在する表示板３２上の、時刻、日付、曜日などの情報を外部より視認することができる。
この場合、多面カットされた風防ガラス４６が、視認側に膨出するように形成されているのが望ましい。
【００７４】
このように構成することによって、多面カット領域４８の多面カット面４８ａでの光の散乱効果がより大きくなるとともに、風防ガラス４６自体の装飾性もより高めることができる。
【００７５】
また、後述するように、時計ケース胴体１２内部にソーラーセル４０を配設する場合には、多面カット領域４８の多面カット面４８ａで光が屈曲されて、ソーラーセル４０に集光させる集光効果が大きくなり、より多くの光をソーラーセル４０のソーラー受光面４２へ集光することができる。
【００７６】
なお、本実施例では、多面カットされた風防ガラス４６が、視認側に膨出するように、断面視で略ドーム形状に形成されているが、その他の視認側に膨出する形状であれば特に限定されるものではない。
【００７７】
また、本実施例では、時計ケース胴体１２が、平面視で略円形の形状に形成されており、平面視で略円形形状の風防ガラス４６が配置されている。これにより、デザインバリエーションの拡大が図れ、高級感のある斬新なデザインの無線機能付き時計を提供することができる。
【００７８】
なお、時計ケース胴体１２の平面視の形状は、略円形の形状に限定されず、例えば、後述するように、平面視で多角形の形状とすることも可能である。
また、本実施例では、多面カットされていない視認領域５０を平坦な形状としたが、その他の形状、例えば、多面カット領域４８と同様な断面視で略ドーム形状とすることも可能である。
【００７９】
この場合、「ガラス」とは、例えば、強化ガラス、白板ガラス、青板ガラスなどの無機ガラス、高純度のアルミナを巨大結晶させたサファイアガラスなどの強化ガラス、プラスチックなどの強化ガラスなどのガラスを全て含み意味であり、特に限定されるものではない。
【００８０】
また、これらのガラスは、透明、半透明であっても良く、また、色つきのもの、異なる色を組み合わせたものであっても良い。さらに、これらのガラスは、その表面に、例えば、旭光模様、ヘアーラインなどの目付け模様、刻印、マークなど、その他のいかなる装飾処理を施したものであっても良い。
【００８１】
なお、この場合、多面カットとは、複数の面が様々な角度で交わった面を有するような処理を言い、特に限定されるものではない。
風防ガラス４６を時計ケース胴体１２の上面に装着する方法としては、特に限定されるものではなく、嵌合、圧入、かしめなどの機械的な接合、粘着剤または接着剤による接合、ゴム、樹脂などのパッキンを幅方向に圧縮しての固定方法などを用いることができる。
【００８２】
なお、本実施例では、説明の便宜上、時計ケース胴体１２の上面との間に介装されるパッキンは省略して示してある。
また、時計ケース胴体１２の材料としては、特に限定されるものではなく、例えば、金、銀、銅、プラチナ、白金、黄銅、アルミニウム、マグネシウム、亜鉛、チタン、またはこれらの合金、セラミック、超硬材などを採用することができる。
【００８３】
なお、図２に示したように、時計ケース胴体１２の側面には、例えば、リューズなどの操作部材５２が設けられている。
このように構成される本発明の無線機能付き腕時計１０の作用について、図５の無線機能付き腕時計の作用を示す断面概略図に基づいて説明する。
【００８４】
図５に示したように、風防ガラス４６の多面カット領域４８を介して入射した光Ｐ２、Ｐ２は、この多面カット面４８ａによって散乱されて、風防ガラス４６の内部を透過し、多面カット領域４８の下方に存在するアンテナ１８に到達する。すなわち、多面カット領域４８を介して入射した光Ｐ２、Ｐ２は、多面カット面４８ａによって多方向に屈折して風防ガラス４６の内部を透過する。そして、その一部の光Ｐ３、Ｐ３が、各々異なる角度からアンテナ１８に到達することから、この光Ｐ３、Ｐ３が互いに干渉して、観者によりアンテナ１８が視認されるのを妨げる。
【００８５】
一方、図５に示したように、多面カットがされていない視認領域５０を介して入射した光Ｐ１、Ｐ１は、散乱されることなく、風防ガラス４６の内部を透過し、視認領域５０の下方に存在する表示板３２に到達する。すなわち、視認領域５０を介して入射した光Ｐ１、Ｐ１は、多方向に屈折することなく風防ガラス４６の内部を透過し、互いに干渉することなく表示板３２に到達するから、観者は表示板３２上の、時刻、日付、曜日などの情報を外部より視認することができる。
次に、ソーラーセルを備えた本発明の無線機能付き腕時計１０の作用について、図６、図７の無線機能付き腕時計の作用を示す断面概略図に基づいて説明する。
【００８６】
図６に示したように、風防ガラス４６の多面カット領域４８を介して入射した光Ｌ１、Ｌ１は、この多面カット面４８ａによって屈折されて、風防ガラス４６の内部を光Ｌ２、Ｌ２として透過する。
【００８７】
そして、風防ガラス４６の下面で屈折された光Ｌ３、Ｌ３は、時計ケース胴体１２の近傍に配置されたるソーラーセル４０のソーラーセルに集光される。
すなわち、多面カットされた風防ガラス４６の多面カット面４８ａを介して、外部の光Ｌ１、Ｌ１は、屈折されて、光Ｌ２、Ｌ２として、透過可能な部材からなる見返し部材３６を透過して、時計ケース胴体１２の側部の、内周側に立設した状態で配置されているソーラーセル４０に集光される。
【００８８】
この場合、多面カットされた風防ガラス４６が、視認側に膨出するように形成されているので、より多くの光をソーラーセル４０のこの立設されたソーラー受光面４２へ集光でき、集光効率が高く、ソーラー発電機能に優れた無線機能付き時計を提供することができる。
【００８９】
また、ソーラーセル４０が、環状（すなわち、リング状の）のソーラーセル４０であるので、多面カットされた風防ガラス４６の多面カット面４６ａを介して、あらゆる方向から入射する外部の光を屈折させて、より多くの光をソーラーセル４０のこの環状（リング状）のソーラー受光面４２へ集光でき、集光効率が高く、ソーラー発電機能に優れた無線機能付き時計を提供することができる。
【００９０】
なお、本実施例の場合には、ソーラーセル４０が、環状（すなわち、リング状の）のソーラーセル４０としたが、図示しないが、時計ケース胴体１２の内周面に部分的に設けることももちろん可能である。
【００９１】
なお、ソーラーセル４０は、時計ケース胴体１２の内部に配設されていればよく、例えば、図７に示すように、時計ケース胴体１２の上面に配設されてもよい。
このように、ソーラーセル４０を時計ケース胴体１２の上面に配設することで、図７に示すように、多面カットされた風防ガラス４６の多面カット面４８ａを介して、外部の光Ｌ１、Ｌ１を屈折させて、光Ｌ２、Ｌ２として、時計ケース胴体１２の側部の、水平な状態で配置されているソーラーセル４０に集光させることができるので、より多くの光をソーラーセル４０のこの水平な状態のソーラー受光面４２へ集光でき、集光効率が高く、ソーラー発電機能に優れた無線機能付き時計を提供することができる。
【００９２】
さらに、ソーラーセル４０を時計ケース胴体１２の上面に配設する場合には、ソーラーセル４０を多面カット領域４８の下方に配設することで、ソーラーセル４０が透けて見えることがなく、外観品質、美観上も優れる。
【実施例２】
【００９３】
図８、図９は、本発明の別の実施例の無線機能付き腕時計を示した、実施例１の図３と同様の断面図である。
本実施例の無線機能付き腕時計１０は、図１〜図５に示した実施例１の無線機能付き腕時計１０と基本的には同様な構成であり、同一の構成部材には、同一の参照番号を付して、その詳細な説明を省略する。
【００９４】
本実施例の無線機能付き腕時計１０では、図８に示したように、アンテナ１８がアンテナ収容凹部１８ａ内に配設されて、アンテナ１８の上面だけが露出した状態で配置されている。また、図９では、アンテナ１８がアンテナ収容段部１８ｂに配設されて、アンテナ１８の上面及び外周側側面が露出した状態で配設されている。
すなわち、本実施例では、アンテナ１８が、アンテナ１８の上面と時計ケース胴体１２の上面とが略水平となるように配設されている。
【００９５】
このように構成することによって、アンテナ１８が時計ケース胴体１２の上面に突出した状態で配設されている場合と比べて、時計内部のデザインをシンプルに構成することが出来るため、観者にすっきりとした印象を与えることができる。
【００９６】
また、時計ケース胴体１２に予めアンテナ収容凹部１８ａ、アンテナ収容段部１８ｂを設けておき、そこにアンテナ１８を配設すればよいので、時計ケース胴体１２にアンテナ１８を配設する際の位置出し及び配設作業が容易である。
【００９７】
さらに、アンテナ１８の上面又は一方の側面だけが露出することとなるため、アンテナ１８が時計ケース胴体１２の上面に突出した状態で配設されている場合と比べて、風防ガラス４６を介して、アンテナ１８がより透けて見え難くなる。
【実施例３】
【００９８】
図１０は、本発明の別の実施例の無線機能付き腕時計を示した、実施例１の図３及び実施例２の図８、図９と同様の断面図である。
本実施例の無線機能付き腕時計１０は、図１〜図５に示した実施例１の無線機能付き腕時計１０と基本的には同様な構成であり、同一の構成部材には、同一の参照番号を付して、その詳細な説明を省略する。
【００９９】
本実施例の無線機能付き腕時計１０では、図１０に示したように、アンテナ１８が、合成樹脂などの樹脂で形成された樹脂ケース４４に装着された状態で、時計ケース胴体１２の上面側に、アンテナ１８の上面だけが露出した状態で配設されている。
【０１００】
すなわち、本実施例では、アンテナ１８が樹脂で覆われている。
このように構成することによって、アンテナ１８の周辺が、金属性の部材ではなく、合成樹脂などの樹脂で覆われることとなるため、時計ケース胴体１２を金属で形成した場合であっても、金属製の部材の影響により、アンテナの電波受信感度が低下するのを防ぐことができる。
【実施例４】
【０１０１】
図１１は、本発明の別の実施例の無線機能付き腕時計を示した、実施例１の図３と同様の断面図である。
図１２は、本発明の別の実施例の無線機能付き時計の作用を示した、実施例１の図５と同様の断面概略図である。
【０１０２】
本実施例の無線機能付き腕時計１０は、図１〜図５に示した実施例１の無線機能付き腕時計１０と基本的には同様な構成であり、同一の構成部材には、同一の参照番号を付して、その詳細な説明を省略する。
【０１０３】
本実施例の無線機能付き腕時計１０では、図１１に示したように、時計ケース胴体１２の上面に、アンテナ１８を覆うように、内面被膜５４が形成されている。
すなわち、アンテナ１８の上面側に内面被膜５４が形成されている。
【０１０４】
このように構成することによって、図１２に示すように、内面被膜５４を介して光Ｐ３、Ｐ３が反射、散乱するなどして遮蔽されるので、風防ガラス４６を介して、多面カット領域４８の下方に存在するアンテナ１８がより透けて見え難くなり、外観品質、美観上も優れる。
【０１０５】
また、この内面被膜５４に着色、模様を施すことによって、装飾的にもデザインとして構成することができ、高級感に溢れ、斬新なデザインの無線機能付き時計を提供することができる。
【０１０６】
なお、この場合、内面被膜５４としては、有色被膜や反射被膜とすることができる。
この内面被膜５４は、アンテナ１８の上面側で、アンテナ１８を覆うように形成されていればよく、形成される場所については、特に限定されない。本実施例では、時計ケース胴体１２の上面に内面被膜５４を形成しているが、風防ガラス４６の下面に内面被膜５４が形成されてもよい。
【０１０７】
また、内面被膜５４は、印刷、スピンコート、ディッピング、刷毛塗り、噴霧塗装、静電塗装、電着塗装等の塗装などにより形成した、例えば、メラミン樹脂、アクリル樹脂、エポキシ樹脂などの合成樹脂を被覆することによって形成することができる。
【０１０８】
さらに、内面被膜５４は、印刷、スピンコート、ディッピング、刷毛塗り、噴霧塗装、静電塗装、電着塗装等の塗装などにより形成した、例えば、有機顔料若しくは無機顔料を含む、インクまたは塗料を、被覆することによって形成することができる。
【０１０９】
また、内面被膜５４は、印刷、スピンコート、ディッピング、刷毛塗り、噴霧塗装、静電塗装、電着塗装等の塗装などにより形成した、例えば、有機染料若しくは無機染料を含む、インクまたは塗料を、被覆することによって形成することができる。
【０１１０】
また、上記した各種の内面被膜を組み合わせることもでき、模様を形成するようにすることも可能である。
【実施例５】
【０１１１】
図１３は、本発明の別の実施例の無線機能付き腕時計を示した、実施例１の図２と同様の上面図である。
本実施例の無線機能付き腕時計１０は、図１〜図５に示した実施例１の無線機能付き腕時計１０と基本的には同様な構成であり、同一の構成部材には、同一の参照番号を付して、その詳細な説明を省略する。
【０１１２】
本実施例の無線機能付き腕時計１０では、図１３に示したように、風防ガラス４６の多面カット領域４８が、複数の多面カット領域４８から構成されている。
このように、多面カット領域４８が、複数の多面カット領域４８から構成することによって、これらの多面カット領域４８によって、装飾性が高く、美観上も優れ、デザインバリエーションの拡大化が図れ、斬新なデザインの無線機能付き時計を提供することができる。
【実施例６】
【０１１３】
図１４は、本発明の別の実施例の無線機能付き腕時計を示した、実施例１の図２と同様の上面図である。
本実施例の無線機能付き腕時計１０は、図１〜図５に示した実施例１の無線機能付き腕時計１０と基本的には同様な構成であり、同一の構成部材には、同一の参照番号を付して、その詳細な説明を省略する。
【０１１４】
本実施例の無線機能付き腕時計１０では、図１４に示したように、風防ガラス４６の視認領域５０が、複数の視認領域５０から構成されている。
このように構成することによって、複数の視認領域５０を介して、下方に存在する表示板３２上の、時刻、日付、曜日などの情報を、個別に外部より視認することができる。
【０１１５】
また、これらの複数の視認領域５０と、多面カットされていない視認領域５０によって、装飾的にもデザインとして構成することができ、高級感に溢れ、斬新なデザインの無線機能付き時計を提供することができる。
【実施例７】
【０１１６】
図１５は、本発明の別の実施例の無線機能付き腕時計を示した、実施例１の図２と同様の上面図である。
本実施例の無線機能付き腕時計１０は、図１〜図５に示した実施例１の無線機能付き腕時計１０と基本的には同様な構成であり、同一の構成部材には、同一の参照番号を付して、その詳細な説明を省略する。
【０１１７】
本実施例の無線機能付き腕時計１０では、図１５に示したように、時計ケース胴体１２が、平面視で三角形の形状、すなわち多角形の形状であり、平面視で三角形の形状の風防ガラス４６が装着されている。
【０１１８】
そして、外周側に略三角形の縁形状の多面カット領域４８と、内周側に三角形の視認領域５０が形成されている。
また、本実施例では、時計ケース胴体１２の１つの頂点に、例えば、いわゆるナス環などの止め具６２が設けられており、これにより、バッグなどに取り付けるアクセサリーなどの時計付き装身具として使用できるようになっており、デザインバリエーションの拡大が図れ、高級感のある斬新なデザインの無線機能付き時計を提供することができる。
【実施例８】
【０１１９】
図１６は、本発明の別の実施例の無線機能付き腕時計を示した、実施例１の図２と同様の上面図である。
本実施例の無線機能付き腕時計１０は、図１〜図５に示した実施例１の無線機能付き腕時計１０と基本的には同様な構成であり、同一の構成部材には、同一の参照番号を付して、その詳細な説明を省略する。
【０１２０】
本実施例の無線機能付き腕時計１０では、図１６に示したように、時計ケース胴体１２が平面視で矩形の形状、すなわち多角形の形状で、平面視で矩形の形状の風防ガラス４６が装着されている。
【０１２１】
そして、外周側に略矩形の縁形状の多面カット領域４８と、内周側に略矩形の視認領域５０が形成されている。
これにより、デザインバリエーションの拡大が図れ、高級感のある斬新なデザインの無線機能付き時計を提供することができる。
【実施例９】
【０１２２】
図１７は、本発明の別の実施例の無線機能付き腕時計を示した、実施例１の図２と同様の上面図である。
本実施例の無線機能付き腕時計１０は、図１〜図５に示した実施例１の無線機能付き腕時計１０と基本的には同様な構成であり、同一の構成部材には、同一の参照番号を付して、その詳細な説明を省略する。
【０１２３】
本実施例の無線機能付き腕時計１０では、図１７に示したように、時計ケース胴体１２が、平面視で多角形の形状であり、本実施例では、十二角形となっている。これらの十二角形の頂点に対応するように、風防ガラス４６の多面カット領域４８の頂点４８ｂが形成されており、十二時間表示の時字６４に対応している。
【０１２４】
これにより、デザインバリエーションの拡大が図れ、高級感のある斬新なデザインの無線機能付き時計を提供することができる。
【実施例１０】
【０１２５】
図１８は、本発明の別の実施例の無線機能付き腕時計を示した、実施例１の図２と同様の上面図である。
本実施例の無線機能付き腕時計１０は、図１〜図５に示した実施例１の無線機能付き腕時計１０と基本的には同様な構成であり、同一の構成部材には、同一の参照番号を付して、その詳細な説明を省略する。
【０１２６】
本実施例の無線機能付き腕時計１０では、図１８に示したように、時計ケース胴体１２が、平面視で多角形の形状であり、本実施例では、八角形となっている。この八角形の時計ケース胴体１２では、これらの八角形の一つおきの４８ｃ辺が、十二時間表示の３時間毎の時字６４に対応するように形成されている。
【０１２７】
これにより、デザインバリエーションの拡大が図れ、高級感のある斬新なデザインの無線機能付き時計を提供することができる。
このように、時計ケース胴体１２の形状を平面視で多角形の形状に構成することによって、例えば、平面視で、三角形、四角形、六角形、十二角形などの風防ガラス４６を配置することができ、これにより、デザインバリエーションの拡大が図れ、高級感のある斬新なデザインの時計を提供することができる。特に、実施例９に示すように、風防ガラス４６を十二角形に配置すれば、十二時間表示の時字６４に対応して、風防ガラス４６の多面カット領域４８の頂点４８ｂ、辺４８ｃを配置することができ、時刻の把握が容易になるとともに、デザインバリエーションの拡大が図れ、高級感のある斬新なデザインの無線機能付き時計を提供することができる。
【０１２８】
以上、本発明の好ましい実施の態様を説明してきたが、本発明はこれに限定されることはなく、例えば、上記実施例では、本発明の時計を、無線機能付き腕時計に適用したが、置時計、時計付き装身具などにも用いることもでき、本発明の目的を逸脱しない範囲で種々の変更が可能である。
【符号の説明】
【０１２９】
１０    無線機能付き腕時計
１２    時計ケース胴体
１４    バンド
１６    連結部
１８    アンテナ
１８ａ  アンテナ収容凹部
１８ｂ  アンテナ収容段部
２０    パッキン
２２    裏蓋
２４    立ち上がり部
２６    フランジ
２８    支持枠
３０    ムーブメント
３１    回転軸
３２    表示板
３２ａ  段部
３３    時針
３４    分針
３６    部材
３８    突設部
４０    ソーラーセル
４２    ソーラー受光面
４４    樹脂ケース
４６    風防ガラス
４６ａ  多面カット面
４８    多面カット領域
４８ａ  多面カット面
４８ａ  頂点
４８ｂ  辺
５０    視認領域
５２    操作部材
５４    内面被膜
６２    止め具
６４    時字
１００  無線機能付き時計
１１２  時計ケース胴体
１１４  バンド
１１８  アンテナ
１２２  裏蓋
１３２  表示板
１４６  風防ガラス
２００  無線機能付き時計
２１２  時計ケース胴体
２１６  連結部
２１３  ベゼル
２１８  アンテナ
２１８ａ  アンテナ収納部
２２２  裏蓋
２３２  表示板
２４６  風防ガラス
Ｌ１、Ｌ２、Ｌ３、Ｐ１、Ｐ２、Ｐ３  光
【図１】
2010223784.tif 000003
【図２】
2010223784.tif 000004
【図３】
2010223784.tif 000005
【図４】
2010223784.tif 000006
【図５】
2010223784.tif 000007
【図６】
2010223784.tif 000008
【図７】
2010223784.tif 000009
【図８】
2010223784.tif 000010
【図９】
2010223784.tif 000011
【図１０】
2010223784.tif 000012
【図１１】
2010223784.tif 000013
【図１２】
2010223784.tif 000014
【図１３】
2010223784.tif 000015
【図１４】
2010223784.tif 000016
【図１５】
2010223784.tif 000017
【図１６】
2010223784.tif 000018
【図１７】
2010223784.tif 000019
【図１８】
2010223784.tif 000020
【図１９】
2010223784.tif 000021
【図２０】
2010223784.tif 000022
【図２１】
2010223784.tif 000023
【図２２】
2010223784.tif 000024